(57)【要約】      （修正有）【課題】視聴者がＴＶ放送／データ放送において表示されるＵＲＬ情報に基づきコンテンツサーバからデータを取得する場合、視聴者自らがＵＲＬを入力または選択し、情報をＰＵＬＬする必要性が生じていた。【解決手段】放送波をテレビ受信装置において受信し、受信した画像信号を画像認識する手段と、前期画像認識処理後に、ＵＲＬ情報を抽出する手段と、前記ＵＲＬ情報と前記受信装置の周辺機器に関する各種情報を、前記コンテンツサーバへ送信する手段と、前記コンテンツサーバから所定のデータを取得し、前記受信装置にダウンロードする手段と、前記ダウンロードされた所定のデータを周辺機器に転送する手段を有する。【効果】放送局側で映像情報とは別にＵＲＬ情報を埋め込む必要がなく、視聴者は広告を受信装置に接続された機器でプリントしまたは保存でき、又は、広告主はインターネットで告知できるのでタイムリーな販売促進が行える。【選択図】        図１
2004193639.tif 000002
【特許請求の範囲】
【請求項１】
ネットワーク上の情報と連動するテレビ受信装置において、
前記テレビ受信装置が受信装置自体に接続される周辺機器に関する各種情報を蓄積する手段と、
各提供者からアップロードされたコンテンツを蓄積するコンテンツサーバー蓄積手段と、
前記コンテンツサーバー上にテレビ受信装置に接続される周辺機器に関する各種情報を蓄積する手段と、
放送波をテレビ受信装置において受信し、受信した画像情報を画像認識する手段と、
前記画像認識処理後に、ＵＲＬ情報を抽出する手段と、
前記ＵＲＬ情報と、前記テレビ受信装置が受信装置自体に接続される周辺機器に関する各種情報を、前記コンテンツサーバーへ送信する手段と、
前記送信された周辺機器に関する各種情報と、前記コンテンツサーバー上に蓄積された周辺機器に関する各種情報を比較して該当する周辺機器情報を抽出する手段と、
前記抽出された周辺機器情報と、前記ＵＲＬ情報により前記コンテンツサーバーからデータを取得する手段と、
前記データを前記周辺機器情報に対応したフォーマットにデータ変換する手段と、
前記変換されたデータをコンテンツサーバーからネットワーク上を介してテレビ受信装置へダウンロードする手段と、
前記ダウンロードされた変換されたデータを、前記テレビ受信装置に接続される周辺機器に転送する手段とを有することを特徴とするシステム。
【請求項２】
前記テレビ受信装置に接続される周辺機器は、プリンタ、携帯電話、ＰＤＡであることを特徴とする、請求項１に記載のシステム。
【請求項３】
前記テレビ受信装置に接続される周辺機器に関する各種情報は、解像度情報、紙サイズ情報、フォント情報であることを特徴とする請求項２に記載のシステム。
【請求項４】
前記テレビ受信装置へダウンロードされた回数をコンテンツサーバー上で集計する手段と、ダウンロードされた回数により前記放送局が前記各提供者へ広告料金を請求する手段を有することを特徴とする、請求項１に記載のシステム。
【請求項５】
ネットワーク上の情報と連動するテレビ受信装置において、前記テレビ受信装置が受信装置自体に接続される周辺機器に関する各種情報を蓄積する手段と、
各提供者からアップロードされたコンテンツを蓄積するコンテンツサーバー蓄積手段と、
前記コンテンツサーバー上にテレビ受信装置に接続される周辺機器に関する各種情報に応じた種類分の複数のコンテンツを蓄積する手段と、
放送波をテレビ受信装置において受信し、受信した画像情報を画像認識する手段と、
前記画像認識処理後に、ＵＲＬ情報を抽出する手段と、
前記ＵＲＬ情報と、前記テレビ受信装置が受信装置自体に接続される周辺機器に関する各種情報を、前記コンテンツサーバーへ送信する手段と、
前記ＵＲＬ情報と、前記テレビ受信装置が受信装置自体に接続される周辺機器に関する各種情報に対応したデータをコンテンツサーバーからネットワーク上を介してテレビ受信装置へダウンロードする手段と、
前記ダウンロードされたデータを、前記テレビ受信装置に接続される周辺機器に転送する手段とを有することを特徴とするシステム。
【請求項６】
前記テレビ受信装置に接続される周辺機器は、プリンタ、携帯電話、ＰＤＡであることを特徴とする、請求項５に記載のシステム。
【請求項７】
前記テレビ受信装置に接続される周辺機器に関する各種情報は、解像度情報、紙サイズ情報、フォント情報であることを特徴とする請求項６に記載のシステム。
【請求項８】
前記テレビ受信装置へダウンロードされた回数をコンテンツサーバー上で集計する手段と、ダウンロードされた回数により前記放送局が前記各提供者へ広告料金を請求する手段を有することを特徴とする、請求項５に記載のシステム。
【発明の詳細な説明】
【０００１】
【発明の属する技術分野】
ＴＶ放送とインターネット上のサービスおよびプリントを組み合わせて行うビジネスに関する。
【０００２】
【従来の技術】
ＴＶ放送／データ放送において表示されるＵＲＩ／ＵＲＬからデータを視聴者が得る場合、視聴者側で放送とは別にＵＲＬを入力または選択し情報をＰＵＬＬする必要性が生じていた。
【０００３】
また、配信コンテンツはトップ画面のみ表示（ＢＭＬの場合）、或いはＷＥＢコンテンツが直接画面に部分表示されるという手法がとられていた。
【０００４】
【発明が解決しようとする課題】
しかしながら、上記の方法ではユーザー側がいちいち番組に対応してリモコンで要求事項を入力せねばならず、また、画面にＷＥＢコンテンツの細かいテキストがそのまま表示されるのみで、ユーザーにとっては非常に見難く、加えて、データを持ちだせない、深層へのリンクが難しい等、情報のハンドリングに問題があった。
【０００５】
【課題を解決するための手段】
第１の発明は、ネットワーク上の情報と連動するテレビ受信装置において、前記テレビ受信装置が受信装置自体に接続される周辺機器に関する各種情報を蓄積する手段と、各提供者からアップロードされたコンテンツを蓄積するコンテンツサーバー蓄積手段と、前記コンテンツサーバー上にテレビ受信装置に接続される周辺機器に関する各種情報を蓄積する手段と放送波をテレビ受信装置において受信し、受信した画像情報を画像認識する手段と、前記画像認識処理後に、ＵＲＬ情報を抽出する手段と、前記ＵＲＬ情報と、前記テレビ受信装置が受信装置自体に接続される周辺機器に関する各種情報を、前記コンテンツサーバーへ送信する手段と、前記送信された周辺機器に関する各種情報と、前記コンテンツサーバー上に蓄積された周辺機器に関する各種情報を比較して該当する周辺機器情報を抽出する手段と、前記抽出された周辺機器情報と、前記ＵＲＬ情報により前記コンテンツサーバーからデータを取得する手段と、前記データを前記周辺機器情報に対応したフォーマットにデータ変換する手段と、前記変換されたデータをコンテンツサーバーからネットワーク上を介してテレビ受信装置へダウンロードする手段と、前記ダウンロードされた変換されたデータを、前記テレビ受信装置に接続される周辺機器に転送する手段とを有することにより、ＴＶ放送／データ放送において表示されるＵＲＩ／ＵＲＬからデータを視聴者が得る場合、放送局側で映像情報とは別にＵＲＬを埋め込む必要がなく、テレビ放送広告を受信機に接続された機器で利用でき、プリントしたりＰＤＡなどで保存して情報を持ち歩きなどが出来るようになり、書きとめたりチラシを切り抜いたりする手間が省ける。
【０００６】
又、広告主はテレビ広告の内容を変更することなくリアルタイムな情報をインターネットで告知できるのでタイムリーな販売促進が行える。
【０００７】
又、時間や地域で広告内容を変更したデータをサーバーにアップロードするだけなので広告制作費が削減できる。
【０００８】
第２の発明は、第１の発明において、前記テレビ受信装置に接続される周辺機器は、プリンタ、携帯電話、ＰＤＡであることにより、受信機に接続された各種機器に利用することができる。
【０００９】
第３の発明は、第２の発明において、前記テレビ受信装置に接続される周辺機器に関する各種情報は、解像度情報、紙サイズ情報、フォント情報であることにより、各種プリンタに対応したコンテンツデータがテレビ受信装置にダウンロードされる。
【００１０】
第４の発明は、第１の発明において、前記テレビ受信装置へダウンロードされた回数をコンテンツサーバー上で集計する手段と、ダウンロードされた回数により前記放送局が前記各提供者へ広告料金を請求することにより、視聴者のダウンロード数がわかるため広告の効果を迅速に知ることが可能になり効果的な広告が行え、また、放送局が、コンテンツ提供者から広告料金を得ることができる。
【００１１】
第５の発明は、ネットワーク上の情報と連動するテレビ受信装置において、前記テレビ受信装置が受信装置自体に接続される周辺機器に関する各種情報を蓄積する手段と、各提供者からアップロードされたコンテンツを蓄積するコンテンツサーバー蓄積手段と、前記コンテンツサーバー上にテレビ受信装置に接続される周辺機器に関する各種情報に応じた種類分の複数のコンテンツを蓄積する手段と、放送波をテレビ受信装置において受信し、受信した画像情報を画像認識する手段と、前記画像認識処理後に、ＵＲＬ情報を抽出する手段と、前記ＵＲＬ情報と、前記テレビ受信装置が受信装置自体に接続される周辺機器に関する各種情報を、前記コンテンツサーバーへ送信する手段と、前記ＵＲＬ情報と、前記テレビ受信装置が受信装置自体に接続される周辺機器に関する各種情報に対応したデータをコンテンツサーバーからネットワーク上を介してテレビ受信装置へダウンロードする手段と、前記ダウンロードされたデータを、前記テレビ受信装置に接続される周辺機器に転送する手段とを有することにより、ＴＶ放送／データ放送において表示されるＵＲＩ／ＵＲＬからデータを視聴者が得る場合、放送局側で映像情報とは別にＵＲＬを埋め込む必要がなく、テレビ放送広告を受信機に接続された機器で利用でき、プリントしたりＰＤＡなどで保存して情報を持ち歩きなどが出来るようになり、書きとめたりチラシを切り抜いたりする手間が省ける。
【００１２】
又、広告主はテレビ広告の内容を変更することなくリアルタイムな情報をインターネットで告知できるのでタイムリーな販売促進が行える。
【００１３】
又、時間や地域で広告内容を変更したデータをサーバーにアップロードするだけなので広告制作費が削減できる。
【００１４】
第６の発明は、第５の発明において、前記テレビ受信装置に接続される周辺機器は、プリンタ、携帯電話、ＰＤＡであることにより、受信機に接続された各種機器に利用することができる。
【００１５】
第７の発明は、第６の発明において、前記テレビ受信装置に接続される周辺機器に関する各種情報は、解像度情報、紙サイズ情報、フォント情報であることにより、各種プリンタに対応したコンテンツデータがテレビ受信装置にダウンロードされる。
【００１６】
第８の発明は、第５の発明において、前記テレビ受信装置へダウンロードされた回数をコンテンツサーバー上で集計する手段と、ダウンロードされた回数により前記放送局が前記各提供者へ広告料金を請求することにより、視聴者のダウンロード数がわかるため広告の効果を迅速に知ることが可能になり効果的な広告が行え、また、放送局が、コンテンツ提供者から広告料金を得ることができる。
【００１７】
【発明の実施の形態】
以下、本発明の実施の形態について、図面を参照しながら説明する。
【００１８】
（第１の実施形態）
図１は、本発明の実施形態に係る番組連動コンテンツ放送配信システムの構成において、受信した画像情報を画像認識し、ＵＲＬ情報を抽出し、ＵＲＬ先のコンテンツ情報を周辺機器に出力し、また、テレビ受信装置に接続される周辺機器に関する各種情報に応じた種類分の複数のコンテンツを蓄積する場合のブロック図である。
【００１９】
図１において、番組連動コンテンツ放送配信システムは、放送局１０１と、デジタルＴＶ受信機１０２と、ＰＤＡ１０３と、携帯電話１０４と、ゲーム機１０５と、プリンタ１０６と、コンテンツサーバ１０７と、周辺機器に関する各種情報に応じた種類分の複数のコンテンツ群１０８と、機種データ１０９と、データ変換サーバ１１０と、広告主１１１と、接続機器情報１１２と、画像認識処理部１１３で構成される。
【００２０】
デジタルＴＶ受信機１０２に、接続機器情報１１２と、画像認識処理部１１３が格納されている。
【００２１】
接続機器情報としては、例えば、プリンタであれば、機種名、解像度、紙サイズ、フォント種類、フォントサイズ等が格納されている。
【００２２】
また、デジタルＴＶ受信機１０２には、有線回線、無線回線などを介して、ＰＤＡ１０３と、携帯電話１０４と、ゲーム機１０５と、プリンタ１０６等の周辺機器が接続される。
【００２３】
コンテンツサーバ１０７に、周辺機器に関する各種情報に応じた種類分の複数のコンテンツ群１０８と、機種データ１０９が格納される。
【００２４】
次に、図１に従って、動作の説明をする。
【００２５】
広告主１１１はデータ変換サーバ１１０へコンテンツデータをアップロードする。
【００２６】
アップロードは、常に可能で、新しい情報を更新可能であるので、視聴者は最新の情報をダウンロード可能で、また、時間限定でダウンロード可能である。
【００２７】
データ変換サーバ１１０は、接続機器情報１１２に従って必要な複数種類分のコンテンツへ変換し、コンテンツサーバ１０７に格納する（周辺機器に関する各種情報に応じた種類分の複数のコンテンツ群１０８）。
【００２８】
上記コンテンツサーバ１０７にコンテンツが準備された状況で、デジタルＴＶ受信機１０２は、放送局１０１から放送される放送データを受信し、画像認識処理部１１３で文字認識を行う。文字認識結果から、コンテンツの格納先であるＵＲＬ情報を認識する。
【００２９】
デジタルＴＶ受信機１０２は、前記ＵＲＬ情報により、インターネットを介して、コンテンツサーバ１０７にアクセスし、プリンタの接続機器情報１１２も転送する。
【００３０】
プリンタの接続機器情報１１２は、機種名、解像度、紙サイズ、フォント種類、フォントサイズ等である。
【００３１】
転送されたプリンタの接続機器情報１１２と、コンテンツサーバ１０７内の機種データ１０９とを照合することにより、周辺機器に関する各種情報に応じた種類分の複数のコンテンツ群１０８から、最適なコンテンツを選択し、インターネットを介し、デジタルＴＶ受信機１０２へ配信する。
【００３２】
デジタルＴＶ受信機１０２へ配信されたコンテンツは、プリンタ１０６に転送されて、印刷される。
【００３３】
上記実施例では、周辺機器としてプリンタで説明したが、同様に、ＰＤＡ、携帯電話へもデータ転送可能である。
【００３４】
（第２の実施形態）
図２は、本発明の実施形態に係る番組連動コンテンツ放送配信システムの構成において、受信した画像情報を画像認識し、ＵＲＬ情報を抽出し、ＵＲＬ先のコンテンツ情報を周辺機器に出力し、また、コンテンツデータを周辺機器情報に対応したフォーマットにデータ変換する場合のブロック図である。
【００３５】
図２において、番組連動コンテンツ放送配信システムは、放送局２０１と、デジタルＴＶ受信機２０２と、ＰＤＡ２０４と、携帯電話２０５と、ゲーム機２０６と、プリンタ２０７と、コンテンツサーバ２１３と、機種データ２０９と、広告主２１２と、接続機器情報２０３、データ変換領域２１０、データ保管領域２１１と、画像認識処理部２１４で構成される。
【００３６】
デジタルＴＶ受信機２０２に、接続機器情報２０３と画像認識処理部２１４が格納されている。
【００３７】
接続機器情報としては、例えば、プリンタであれば、機種名、解像度、紙サイズ、フォント種類、フォントサイズ等が格納されている。
【００３８】
また、デジタルＴＶ受信機２０３には、有線回線、無線回線などを介して、ＰＤＡ２０４と、携帯電話２０５と、ゲーム機２０６と、プリンタ２０７等の周辺機器が接続される。
【００３９】
コンテンツサーバ２１３に、機種データ２０９と、データ変換領域２１０、データ保管領域２１１で構成される。
【００４０】
次に、図２に従って、動作の説明をする。
【００４１】
広告主２１２はデータ保管領域２１１へコンテンツデータをアップロードする。
【００４２】
アップロードは、常に可能で、新しい情報を更新可能であるので、視聴者は最新の情報をダウンロード可能で、また、時間限定でダウンロード可能である。
【００４３】
上記コンテンツサーバ２１３にコンテンツが準備された状況で、デジタルＴＶ受信機２０２は、放送局２０１から放送される放送データを受信し、画像認識処理部２１４で文字認識を行う。文字認識結果から、コンテンツの格納先であるＵＲＬ情報を認識する。
【００４４】
デジタルＴＶ受信機２０２は、前記ＵＲＬ情報により、インターネットを介して、コンテンツサーバ２１３にアクセスし、プリンタの接続機器情報２０３も転送する。
【００４５】
プリンタの接続機器情報２０３は、機種名、解像度、紙サイズ、フォント種類、フォントサイズ等である。
【００４６】
転送されたプリンタの接続機器情報２０３と、コンテンツサーバ２１３内の機種データ２０９とを照合し、接続機器情報を特定する。
【００４７】
データ保管領域２１１に格納されたコンテンツデータをデータ変換領域２１０へ転送し、データ変換領域２１０において、上記特定されたプリンタの接続機器情報２０３に応じたデータ変換を行う。
【００４８】
データ変換されたコンテンツデータを、インターネットを介し、デジタルＴＶ受信機２０３へ配信する。
【００４９】
デジタルＴＶ受信機２０３へ配信されたコンテンツは、プリンタ２０７に転送されて、印刷される。
【００５０】
上記実施例では、周辺機器としてプリンタで説明したが、同様に、ＰＤＡ、携帯電話へもデータ転送可能である。
【００５１】
（第３の実施形態）
図３は、本発明の実施形態に係る番組連動コンテンツ放送配信システムの構成において、受信した画像情報を画像認識し、ＵＲＬ情報を抽出し、ＵＲＬ先のコンテンツ情報を周辺機器に出力し、また、テレビ受信装置へダウンロードされた回数をコンテンツサーバー上で集計することにより放送局が前記各提供者へ広告料金を請求する場合のブロック図である。
【００５２】
図３において、番組連動コンテンツ放送配信システムは、放送局３０１と、デジタルＴＶ受信機３０２と、ＰＤＡ３０４と、携帯電話３０５と、ゲーム機３０６と、プリンタ３０７と、コンテンツサーバ３０８と、広告主３０９と、接続機器情報３０３と、画像認識処理部３１０で構成される。
【００５３】
デジタルＴＶ受信機３０２に、接続機器情報３０３と画像認識処理部３１０が格納されている。
【００５４】
接続機器情報としては、例えば、プリンタであれば、機種名、解像度、紙サイズ、フォント種類、フォントサイズ等が格納されている。
【００５５】
また、デジタルＴＶ受信機３０２には、有線回線、無線回線などを介して、ＰＤＡ３０４と、携帯電話３０５と、ゲーム機３０６と、プリンタ３０７等の周辺機器が接続される。
【００５６】
次に、図３に従って、動作の説明をする。
【００５７】
コンテンツの流れについては、図１，図２で説明したので、省略し、ダウンロード回数集計を中心に説明する。
【００５８】
コンテンツサーバ３０８は、デジタルＴＶ受信機３０２へのダウンロード回数を集計し、放送局３０１にインターネットを介し、送信する。
【００５９】
放送局３０１は、広告主３０９に広告料金を請求し、広告主３０９は放送局３０１に料金を支払う。
【００６０】
【発明の効果】
ＴＶ放送／データ放送において表示されるＵＲＩ／ＵＲＬからデータを視聴者が得る場合、放送局側で映像情報とは別にＵＲＬを埋め込む必要がなく、テレビ放送広告を受信機に接続された機器で利用でき、プリントしたりＰＤＡなどで保存して情報を持ち歩きなどが出来るようになり、書きとめたりチラシを切り抜いたりする手間が省ける。
【００６１】
又、広告主はテレビ広告の内容を変更することなくリアルタイムな情報をインターネットで告知できるのでタイムリーな販売促進が行える。
【００６２】
又、時間や地域で広告内容を変更したデータをサーバーにアップロードするだけなので広告制作費が削減できる。
【図面の簡単な説明】
【図１】本発明の実施形態に係る番組連動コンテンツ放送配信システムの構成において、受信した画像情報を画像認識し、ＵＲＬ情報を抽出し、ＵＲＬ先のコンテンツ情報を周辺機器に出力し、また、テレビ受信装置に接続される周辺機器に関する各種情報に応じた種類分の複数のコンテンツを蓄積する場合のブロック図。
【図２】本発明の実施形態に係る番組連動コンテンツ放送配信システムの構成において、受信した画像情報を画像認識し、ＵＲＬ情報を抽出し、ＵＲＬ先のコンテンツ情報を周辺機器に出力し、また、コンテンツデータを周辺機器情報に対応したフォーマットにデータ変換する場合のブロック図。
【図３】本発明の実施形態に係る番組連動コンテンツ放送配信システムの構成において、受信した画像情報を画像認識し、ＵＲＬ情報を抽出し、ＵＲＬ先のコンテンツ情報を周辺機器に出力し、また、テレビ受信装置へダウンロードされた回数をコンテンツサーバー上で集計することにより放送局が前記各提供者へ広告料金を請求する場合のブロック図。
【符号の説明】
１０１  放送局
１０２  デジタルＴＶ受信機
１０３  ＰＤＡ
１０４  携帯電話
１０５  ゲーム機
１０６  プリンタ
１０７  コンテンツサーバ
１０８  周辺機器に関する各種情報に応じた種類分の複数のコンテンツ群
１０９  機種データ
１１０  データ変換サーバ
１１１  広告主
１１２  接続機器情報
１１３  画像認識処理部
２０１  放送局
２０２  デジタルＴＶ受信機
２０４  ＰＤＡ
２０５  携帯電話
２０６  ゲーム機
２０７  プリンタ
２１３  コンテンツサーバ
２０９  機種データ
２１２  広告主
２０３  接続機器情報
２１０  データ変換領域
２１１  データ保管領域
２１４  画像認識処理部
３０１  放送局
３０２  デジタルＴＶ受信機
３０４  ＰＤＡ
３０５  携帯電話
３０６  ゲーム機
３０７  プリンタ
３０８  コンテンツサーバ
３０９  広告主
３０３  接続機器情報
３１０  画像認識処理部
【図１】
2004193639.tif 000003
【図２】
2004193639.tif 000004
【図３】
2004193639.tif 000005